【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
無線送信媒体を通じて少なくとも１つの実体の少なくとも１つの送信機から受信される少なくとも１つの信号を処理するユーザ装置の作動方法であって、
（ａ）前記ユーザ装置において、少なくとも１つの実体の少なくとも１つの送信機によって発生され送信される前記少なくとも１つの信号から送信機指紋セットを決定するステップであって、前記送信機指紋セットが前記少なくとも１つの送信機を一意に識別する前記少なくとも１つの信号の１つ以上の物理的特性に基づくものと、
（ｂ）前記ユーザ装置において、前記ユーザ装置の現在のネットワーク位置が前記ユーザ装置にわかっているネットワーク位置であるか、少なくとも前記送信機指紋セットの一部に基づいて決定するステップと、
を含む方法。
【請求項２】
更に、
（ｃ）前記現在のネットワーク位置が前記ユーザ装置にわかっているネットワーク位置であるかの、前記決定の少なくとも一部に基づいて、前記少なくとも１つの実体のうち１つ以上の実体に送信するための１つ以上の通信において公表する情報を決定するステップ、
を含む請求項１記載の方法。
【請求項３】
前記動作（ｂ）が、前記現在のネットワーク位置が前記ユーザ装置に知られているネットワーク位置であることを決定するステップを含み、
前記動作（ｃ）が、前記知られているネットワーク位置の少なくとも一部に基づいて前記情報を決定するステップを含む、ことを特徴とする請求項２記載の方法。
【請求項４】
前記動作（ｂ）が、少なくとも前記送信機指紋セットの一部に基づいて、前記少なくとも１つの実体のうち１つが前記ユーザ装置に知られている識別を有する無線アクセスポイントであることを決定するステップを含む、ことを特徴とする請求項１記載の方法。
【請求項５】
更に、
（ｃ）前記無線アクセスポイントの前記識別の少なくとも一部に基づいた前記無線アクセスポイントに送信される１つ以上の通信において公表する情報を決定するステップ
を含む請求項４記載の方法。
【請求項６】
前記動作（ｂ）が更に、前記送信機指紋セットが、前記ユーザ装置にわかっている任意の送信機指紋セットと一致するか決定するステップを含む、ことを特徴とする請求項１記載の方法。
【請求項７】
前記動作（ｂ）が、
少なくとも１つのエントリを含む情報ソースにアクセスするステップであって、エントリそれぞれが、ネットワーク位置の識別と前記ネットワーク位置の送信機指紋セットと、を指定するものと、
前記決定された送信機指紋セットと前記少なくとも１つのエントリの１つ以上のものの前記送信機指紋セットとを比較するステップとを含む、ことを特徴とする請求項６記載の方法。
【請求項８】
前記比較するステップが、前記１つ以上のエントリそれぞれに対し、前記決定された送信機指紋セットと前記エントリの前記送信機指紋セットとの間の類似性が所定の閾値を上回るか決定するステップを含む、ことを特徴とする請求項７記載の方法。
【請求項９】
前記比較するステップが、前記１つ以上のエントリそれぞれに対し、前記決定された送信機指紋の少なくとも１つの送信機指紋セットが前記エントリに含まれる少なくとも１つの送信機指紋と一致するか決定するステップを含む、ことを特徴とする請求項７記載の方法。
【請求項１０】
前記比較するステップが、前記１つ以上のエントリそれぞれに対し、前記決定された送信機指紋セットの前記送信機指紋すべてが前記エントリに含まれる前記送信機指紋すべてと一致するか決定するステップを含む、ことを特徴とする請求項９記載の方法。
【請求項１１】
計算機によって実行された結果として、実体の送信機から無線送信媒体上に送信される少なくとも１つの信号を処理するユーザ装置の作動方法を実行するように前記計算機に命令する計算機実行可能命令を符号化され、前記少なくとも１つの信号が受信された時に、前記実体の識別が前記ユーザ装置に知られていないものであって、
前記方法が、
（ａ）前記実体の送信機によって発生され送信される前記少なくとも１つの信号から送信機指紋を決定するステップであって、前記送信機指紋が前記少なくとも１つの送信機を一意に識別する前記少なくとも１つの信号の１つ以上の物理的特性に基づくものと、
（ｂ）少なくとも前記送信機指紋の一部に基づいて、前記実体が前記ユーザ装置にわかっている識別を有する無線アクセスポイントであるか決定するステップであって、
それぞれが無線アクセスポイントの識別と前記無線アクセスポイントの送信機指紋とを指定する１つ以上のエントリを含む情報ソースにアクセスし、
前記決定された送信機指紋と前記１つ以上のエントリの前記送信機指紋とを比較し、
前記決定された送信機指紋と前記情報ソース内の１つのエントリ間の一致に基づいて、前記無線アクセスポイントの識別を決定するステップとを含むものと、
を含む計算機可読記憶媒体。
【請求項１２】
前記方法が更に、
（ｃ）前記信号を送信した前記実体が、前記ユーザ装置によって知られている識別を有する無線アクセスポイントかに関する前記決定の少なくとも一部に基づいて、前記実体に送信される１つ以上の通信において公表する情報を決定するステップ、
を含む、ことを特徴とする請求項１１記載の計算機可読記憶媒体。
【請求項１３】
前記動作（ｂ）が、前記実体が前記ユーザ装置に知られている識別を有する無線アクセスポイントであることを決定するステップを含み、
前記動作（ｃ）が、前記識別の少なくとも一部に基づいて前記情報を決定するステップを含む、ことを特徴とする請求項１２記載の計算機可読記憶媒体。
【請求項１４】
前記動作（ｂ）が、前記実体が前記ユーザ装置に知られている識別を有する無線アクセスポイントであるか決定するステップを含み、
前記方法が更に、
（ｃ）前記識別の少なくとも一部に基づいて前記ユーザ装置のネットワーク位置を決定するステップを含むこと、を特徴とする請求項１１記載の計算機可読記憶媒体。
【請求項１５】
前記方法が更に、
（ｄ）前記決定されたネットワーク位置の少なくとも一部に基づいて前記無線アクセスポイントに送信される１つ以上の通信において公表する情報を決定するステップ、
を含む、方法を特徴とする請求項１４記載の計算機可読記憶媒体。
【請求項１６】
前記比較するステップが、１つ以上のエントリそれぞれに対し、前記決定された送信機指紋と前記エントリの前記送信機指紋との間の類似性が、所定の閾値を上回るか決定するステップを含む、ことを特徴とする請求項１１記載の計算機可読記憶媒体。
【請求項１７】
無線送信媒体を通じて少なくとも１つの実体の少なくとも１つの送信機から受信される少なくとも１つの信号を、ユーザ装置のために処理するためのシステムであって、
前記少なくとも１つの実体の少なくとも１つの送信機によって発生され送信される前記少なくとも１つの信号から送信機指紋セットを決定するための指紋決定モジュールと、
少なくとも前記送信機指紋セットの一部に基づいて、前記ユーザ装置の現在のネットワーク位置が、前記ユーザ装置にわかっているネットワーク位置か決定するための識別モジュールと、を含むシステム。
【請求項１８】
前記識別モジュールが、前記送信機指紋セットが前記ユーザ装置にわかっている任意の送信機指紋セットと一致するか決定するように作動すること、を特徴とする請求項１７のシステム。